(57)【要約】      （修正有）【課題】人体皮膚に挿入する場合の挿入抵抗を軽減できる植毛針を提供する。【解決手段】植毛針は、細長い丸棒より成る針基幹部１１の先端に円錐形状針先部１２を設け、円錐状針先部１２の突端部より針基幹部１１にかけてＪ字状に切削して人造毛のループ状毛根部を繋止するための繋止部１３を設ける。そして、Ｊ字状繋止部１３の両側を斜めに削設して平坦なカット部１５を設ける。このカット部１５によって、植毛針の先端の強度を弱めないで、人体皮膚に挿入する場合の挿入抵抗を軽減することができる。【選択図】図２
0003211650.tif 000002
【実用新案登録請求の範囲】
【請求項１】
細長い丸棒より成る針基幹部の先端に円錐形状針先部を設け、該円錐状針先部の突端部よ
り針基幹部にかけてＪ字状に切削して設けた人造毛のループ状毛根部を繋止するためのＪ
字状繋止部を有する植毛針において、上記Ｊ字状繋止部の両側を斜めに削設した平坦なカ
ット部を設けたことを特徴とする植毛針。
【請求項２】
上記カット部は上記円錐状針先部の突端部よりやや後方に下がった位置から針基幹部に掛
けて設けたことを特徴とする請求項1に記載の植毛針。
【考案の詳細な説明】
【技術分野】
【０００１】
本考案は、植毛針、特に、人造毛を人体皮膚に植毛するための植毛針に関する。
【背景技術】
【０００２】
人造毛を人体皮膚に植毛するための植毛器具は既に提案されている。
（特開昭５６−９４１０号公報参照）。
【先行技術文献】
【特許文献】
【０００３】
【特許文献１】特開昭５６−９４１０号公報。
【考案の概要】
【考案が解決しようとする課題】
【０００４】
本出願人は上記特開昭５６−９４１０号公報に記載されている植毛用器具を使用して、長
年に亘り、人造毛の植毛事業を実施してきた。現在使用している植毛針は同公報第７図に
記載されているものと略同様の形状をしている。
すなわち、従来の植毛針９は図９に記載されているように、細長い丸棒より成る針基幹部
９１の先端に円錐形状針先部９２を設け、該円錐状針先部９２の突端部９３より針基幹部
９１にかけてＪ字状に切削して設けた人造毛４のループ状毛根部４２(図５)を繋止するた
めの繋止部９４を有している。
【０００５】
従来のこの形状の植毛針では、円錐状形の針先部の角度が略５０°あり、皮膚にこの植毛
針を挿入する場合、挿入抵抗が大きく、患者に苦痛を与えるとともに、植毛手術を行う医
師の手に対する負担が大きく、特に大量の人造毛を植毛する場合医師の肉体的負担が大き
く問題になっていた。
【０００６】
本考案は植毛針を人体皮膚に挿入する場合の挿入抵抗を軽減できる植毛針を提供すること
を目的とする。
【課題を解決するための手段】
【０００７】
本考案の植毛針は、細長い丸棒より成る針基幹部の先端に円錐形状針先部を設け、該円錐
状針先部の突端部より針基幹部にかけてＪ字状に切削して設けた人造毛のループ状毛根部
を繋止するための繋止部を有する植毛針において、上記Ｊ字状繋止部の両側を斜めに削設
した平坦なカット部を設けたことを特徴とする。
【０００８】
素材である細長い丸棒は、直径０．３ｍｍのステンレス製（ＳＵＳ３０１）の線材である
。上記カット部は円錐状針先部の突端部より少し下がった位置より針基幹部にかけて斜め
に削設して設ける。この削設方法はカッターによる切削や研磨機による研削によって行う
ことができる。カット部の長さは円錐状針先部の長さの略３倍程度である。
【０００９】
前記円錐形状針先部の針先の角度は略５０°あるので、皮膚に挿入する時の抵抗はかなり
大きい。針先の挿入抵抗を減らすために、針先全体の角度を細くすると針先の強度が低く
なり折れやすくなる。そこで、本考案では、針先の両側面、即ち、前記繋止部の形状がJ
字状に見える両側面のみを斜めに切削して上から見た場合の針先角度が、１２°〜１８°
、好ましくは１５°に成るようにした。J字状に見える両側面から見た針先角度は、元の
円錐形状針先部と同じで、略５０°である。
【考案の効果】
【００１０】
（１）本考案の植毛針は、細長い丸棒より成る針基幹部の先端に円錐形状針先部を設け、
該円錐状針先部の突端部より針基幹部にかけてＪ字状に切削して設けた人造毛のループ状
毛根部を繋止するための繋止部を有する植毛針において、上記Ｊ字状繋止部の両側を斜め
に削設した平坦なカット部を設けたので、この植毛針を人体頭部の皮膚に刺すときの挿入
抵抗が少なくなり、患者の苦痛を和らげるとと共に、医師の体力的負担を軽くして植毛速
度を速くすることができる。
【００１１】
（２）Ｊ字状繋止部の両側に設けられた２つのカット部には皮膚を切り裂く面が２つずつ
計４面存在するので、皮膚に挿入する際、患者に痛みを感じさせないで容易に挿入するこ
とができる。
【００１２】
（３）植毛手術に際して上記Ｊ字状繋止部に人造毛のループ状毛根部を引っかけたときに
、人造毛はこのカット部に収まるので、Ｊ字状繋止部に引っかけた人造毛の横幅は０．３
９ｍｍとなり、カット部がない従来の植毛針に比べると０．１ｍｍと約２割細くなり、人
造毛の毛根部の挿入抵抗が少なくなり、患者の苦痛と医師の負担が少なくなる。
【００１３】
（４）上記カット部は繋止部がＪ字状に見える両側にのみに設けられているので、針先の
上下部分は元の円錐形状をそのまま残しており、全体を細くした針先に比べると強度は強
く、折損する恐れが少ない。
【００１４】
（５）上記カット部は上記円錐状針先部の突端部よりやや後方に下がった位置から針基幹
部に掛けて設けられているので、針先の突端部は円錐状の突端部がそのまま残されており
、針先が折れにくくなり、植毛針の寿命が長くなる。
【図面の簡単な説明】
【００１５】
【図１】本考案の植毛針の正面図。
【図２】本考案の植毛針の針先の斜視図。
【図３】本考案の植毛針の針先の拡大正面図。
【図４】本考案の植毛針の針先の平面図。
【図５】人造毛の平面図。
【図６】植毛器具の断面図。
【図７】本考案の植毛針の使用方法を示す説明図。
【図８】本考案の植毛針を皮膚に挿入したときの説明図。
【図９】従来の植毛針の針先の斜視図。
【考案を実施するための形態】
【００１６】
本考案の最良の実施形態を次の実施例によって説明する。
【実施例】
【００１７】
本考案の植毛針の実施例を図１に示す。１は植毛針で、素材である細長い丸棒は、直径０
．３ｍｍのステンレス製（ＳＵＳ３０１）の線材である。
１１は針基幹部、１２は円錐状針先部、１３はＪ字状繋止部、１４は突端部、１５はカッ
ト部である。
【００１８】
針先は、図２、図３に示される様に、円錐状針先部１２の角度は略５０°、長さは０．３
１ｍｍである。カット部１５は突端部１４よりも０．０８ｍｍ下がったところから針基幹
部１１にかけて約０．９ｍｍの長さに設ける。その結果、図４に示される様に、上から見
た針先のカット部１５，１５の角度は略１５°となる。
【００１９】
植毛に用いられる人造毛４は、図５に示される様に、毛先を丸めてループ状毛根部４２を
作り、毛の先端部と基幹部との交差点４３をよじって熱融着する。一方の毛は短く切断し
てフック部４５とする。他方の毛４１は、植毛する患者の髪の毛の長さに切断する。
【００２０】
この人造毛を植毛するための植毛器具２は図６に示されている。
２１は先端部でその下側を斜めに切断して筒状カット部２２を設ける。
２３は把持部、２４はスライド部、２５はスプリング、２６は植毛針１の端部を固定する
ための固定板、２７はキャップ、２８はクッション用スプリング、２９は把持部２３の中
を貫通するの植毛針１を挿通するための貫通孔である。
【００２１】
植毛針１を取り付けるには、予め植毛針１の端部を固定板２６に半田付け１７で固定する
。その状態の植毛針１をキャップ２７を外して、把持部２３の貫通孔２９内に挿入する。
固定板２６の後ろにクッション用スプリング２８を挿入してキャップ２７を嵌めて固定す
る。
【００２２】
このようにセットされた植毛器具２の先端は、図７に示すように、筒状カット部２２の存
在によって、植毛針１の先端のＪ字状繋止部１３は、外部に露出して見える。人造毛４の
ループ状毛根部４２をＪ字状繋止部１３に引っかければ、人造毛４は植毛針１の先端に固
定されることとなる。
【００２３】
この状態で、図８に示すように、植毛器具２の先端部２１を人体皮膚６に当て、植毛器具
２のスライド部２４をスプリング２５の弾性に抗して押し込めば、植毛針１の針先にある
Ｊ字状繋止部１３は人造毛４のループ状毛根部４２を繋止したまま人体皮膚組織の真皮６
１を突き破り、皮下組織６２に達する。この際、人造針１の先端のＪ字状繋止部１３の両
側にはカット部１５が存在するので、人造針１の挿入抵抗を弱め極めてスムーズに植毛針
１を所定の位置まで挿入することができる。
【００２４】
その状態で植毛針1のみを静かに引き抜けば、フック部４５が人造毛４が引き抜かれるの
を防ぐため、人造毛４は所定の位置に残留させられることになる。この植毛針１の挿入の
際、植毛器具２にクッション用スプリング２８があるので挿入抵抗が高くなりすぎた場合
、即ち植毛針１が過度に深いところまで挿入され帽状腱膜６３に迄達した場合、クッショ
ン用スプリング２８が縮小して挿入力を吸収するので、一定の深さの位置に人造毛４を植
毛することができる。
【符号の説明】
【００２５】
１  植毛針
１２  円錐状針先部
１３  Ｊ字状繋止部
１５  カット部
２  植毛器具
２１  先端部
２２  筒状カット部
２３  把持部
４  人造毛
４２  ループ状毛根部
４５  フック部
【図１】
0003211650.tif 000003
【図２】
0003211650.tif 000004
【図３】
0003211650.tif 000005
【図４】
0003211650.tif 000006
【図５】
0003211650.tif 000007
【図６】
0003211650.tif 000008
【図７】
0003211650.tif 000009
【図８】
0003211650.tif 000010
【図９】
0003211650.tif 000011